(57)【要約】      （修正有）【課題】限られた空間を有効に利用するために吊下げ装備される搭載機器の航空機への装着を、他の方式と同様に装脱着が容易で、かつ航空機の所定取付け位置に正確に装着可能にする。【解決手段】搭載機器に付設されたブラケット１１Ｒと地上整備器具に付設されたブラケット２１Ｒ間に連結用のプレート２３を張架し、それぞれのブラケットに穿設された連結用ピン孔と連結用プレートの連結用ピン孔にピン２４を貫設するようにし、それぞれのブラケット端は穿設された連結用ピン孔を中心とする円弧状に形成されかつ両ブラケット端が点接触するよう連結用プレートで連結させる。【選択図】図３
0003117984.tif 000002
【実用新案登録請求の範囲】
【請求項１】
航空機内に吊下げ装備される搭載機器にはその吊下げ部にブラケットが付設され、他方この搭載機器を吊下げ状態を解いて受け取る地上整備器具にも受取用のブラケットが付設され、この両者のブラケット間に連結用のプレートを張架し、それぞれのブラケットに穿設された連結用ピン孔と連結用プレートの連結用ピン孔にピンを貫設するようにした搭載機器と地上整備器具のブラケット装置において、それぞれのブラケット端は穿設された連結用ピン孔を中心とする円弧状に形成されかつ両ブラケット端が点接触するよう連結用プレートで連結されたことを特徴とする搭載機器と地上整備器具のブラケット装置。
【考案の詳細な説明】
【技術分野】
【０００１】
本考案は航空機内に吊下げ装備される搭載機器と搭載機器を吊下げ状態を解いて受け取る地上整備器具とのブラケット装置に関するものである。
【背景技術】
【０００２】
航空機にミッション機器等の搭載機器を搭載する場合、限られた空間を有効に利用するために、搭載機器を航空機に吊下げ装備されるものがある。吊下げ装備される搭載機器の航空機への装着は他の方式と同様、搭載機器の航空機への装脱着が容易でかつ航空機の所定取付け位置に正確に装着可能であることが要求される。
【０００３】
搭載機器１の航空機に吊下げ装備される一例は図５に示すとおりである。すなわち搭載機器１と搭載機器用ブラケット１１とその左右の先端部のブラケット１１Ｌおよび１１Ｒと、機体側取付ロッドＡと、機体側取付ラグＢと、地上整備器具２と、固定ピン２５Ｌおよび２５Ｒから構成されている。以上の構成であるから航空機へ吊下げ装備される搭載機器１の取付け精度は確保されている。すなわち搭載機器１は２箇所のブラケット１１Ｌと１１Ｒを固定ピン２５Ｌおよび２５Ｒにより地上整備器具２に取り付けられている。
【０００４】
ブラケット１１Ｒにおける取付けの状態は図６に示すとおり、搭載機器１のブラケット１１Ｒが地上整備器具ブラケット２１Ｒの溝部に挿入され、固定ピン２５Ｒを双方のピン孔にさしこまれる。搭載機器１と地上整備器具２はこの状態でコックピット内に持ち込まれ、航空機への装着位置を定めた後、機体側取付ロッドＡと機体側取付ラグＢの箇所で締結部品により固定される。次にブラケット１１Ｒの固定ピン２５Ｒを抜き地上整備器具２をブラケット１１Ｌの固定ピン２５Ｌを軸に時計方向に回転させ、搭載機器１のブラケット１１Ｒを締結部品を用い機体に固定する。次にブラケット１１Ｌの固定ピン２５Ｌを抜き地上整備器具２を搭載機器１から取り外し、搭載機器１のブラケット１１Ｌを締結部品を用いて機体に固定する。
【０００５】
搭載機器１を機体から取り外す場合は上記と逆の手順で行う。すなわち搭載機器１のブラケット１１Ｌの箇所の締結部品を外しブラケット１１Ｌと地上整備器具ブラケット２１Ｌのピン孔を合せ、固定ピン２５Ｌを用いて搭載機器１のブラケット１１Ｌを地上整備器具２に取り付ける。同様に搭載機器１のブラケット１１Ｒの箇所の締結部品を外しブラケット１１Ｒと地上整備器具ブラケット２１Ｒのピン孔を合せ、固定ピン２５Ｒを用いて搭載機器１のブラケット１１Ｒを地上整備器具２に取り付ける。次に機体側取付ロッドＡと、機体側取付ラグＢの箇所の締結部品を取り外し、搭載機器１を地上整備器具２に取り付けた状態で機外に持ち出す。
搭載機器と地上整備器具とのブラケット装置に関する先行技術文献を調査したが発見されなかった。
【考案の開示】
【考案が解決しようとする課題】
【０００６】
図５に示すような吊下げ装備される搭載機器１を装脱着する場合、機体側取付ラグＢは十分な剛性を有しているものの、機体側取付ロッドＡの捻り剛性が十分でないので、回転方向にかなりの自由度を有している。従って搭載機器を機体に装脱着するときには搭載機器のブラケット孔位置が作業段階により大きく変化し、特に脱着するときには搭載機器と地上整備器具ブラケットの固定ピン孔の位置あわせが困難で多大の労力を要する。
【課題を解決するための手段】
【０００７】
本考案が提供する搭載機器と地上整備器具のブラケット装置は上記問題を解決するために、搭載機器に付設されたブラケットと地上整備器具に付設されたブラケット間に連結用のプレートを張架し、それぞれのブラケットに穿設された連結用ピン孔と連結用プレートの連結用ピン孔にピンを貫設するようにし、それぞれのブラケット端は穿設された連結用ピン孔を中心とする円弧状に形成されかつ両ブラケット端が点接触するよう連結用プレートで連結させる。
【考案の効果】
【０００８】
本考案が提供する搭載機器と地上整備器具とのブラケット装置では、搭載機器のブラケットの固定ピン取付孔穴位置と、地上整備器具の連結用プレートの固定ピン取付孔位置が、搭載機器の位置に関係なく常に相対的に一定の関係にあるため、ブラケット部の位置あわせが容易になり、搭載機器の取付け・取り外し作業が容易となる。
【考案を実施するための最良の形態】
【０００９】
本考案の特徴は、航空機内に吊下げ装備される搭載機器の吊下げ部に付設されたブラケットと、この搭載機器を吊下げ状態を解いて受け取る地上整備器具に付設された受取用のブラケットの、この両者のブラケット間に連結用のプレートを張架し、それぞれのブラケットに穿設された連結用ピン孔と連結用プレートの連結用ピン孔にピンを貫設するようにした搭載機器と地上整備器具のブラケット装置において、それぞれのブラケット端は穿設された連結用ピン孔を中心とする円弧状に形成されかつ両ブラケット端が点接触するよう連結用プレートで連結された搭載機器と地上整備器具のブラケット装置である。以下に本考案に係る一実施例について説明する。
【実施例１】
【００１０】
本考案が提案する搭載機器と地上整備器具のブラケット装置は図１に示すとおりである。すなわち搭載機器１と、搭載機器１を機体に取り付けるための搭載機器用ブラケット１１と、この搭載機器用ブラケット１１の左右の先端部のブラケット１１Ｌ、１１Ｒと、機体構造体から吊下げられた機体側取付ロッドＡと、機体側取付ラグＢと、搭載機器１の吊下げ状態を解いて受け取る地上整備器具２と、地上整備器具ブラケット２１Ｌ、２１Ｒと、連結用プレート２２、２３と、プレートピン２４と、固定ピン２５Ｌおよび２５Ｒから構成されている。搭載機器１と地上整備器具２との受け渡し部分の詳細は図２に示すとおりである。ブラケット１１Ｒは搭載機器用ブラケット１１の先端部で連結用の固定ピン２５Ｒのピン孔が穿たれている。
【００１１】
またその先端部は図４に示す如く固定ピン２５Ｒのピン孔を中心とする半径Ｒ１の円弧状である。図２に示す如く地上整備器具ブラケット２１Ｒをはさみ２枚の連結用プレート２２、２３が張架され、プレートピン２４を介して自由に回転できる構造となっている。地上整備器具ブラケット２１Ｒの先端部は図４に示す如くプレートピン２４を中心とする半径Ｒ２の円弧状である。２枚の連結用プレート２２および２３は図３に示すとおりプレートピン２４を中心に半径（Ｒ１＋Ｒ２）の位置に固定ピン２５Ｒが入る孔が貫設されている。
【００１２】
搭載機器１を図１に示す航空機内に吊下げ装備する手順は背景技術で説明した方法に準ずるので説明は省略する。吊下げ装備された機搭載機器１を機体から取り外し地上整備器具２に受け渡す手順は次のとおりである。但し受け渡しの詳細はブラケット１１Ｌで説明する。図１において搭載機器１のブラケット１１Ｌの箇所の締結部品を外し、ブラケット１１Ｌと地上整備器具ブラケット２１Ｌのピン孔を合せ、固定ピン２５Ｌを用いて搭載機器１のブラケット１１Ｌを地上整備器具２に取り付ける。
【００１３】
同様に搭載機器１のブラケット１１Ｒの箇所の締結部品を外し、地上整備器具２を固定ピン２５Ｌを中心に回転し図２に示す如くブラケット１１Ｒと地上整備器具ブラケット２１Ｒを接し、連結用プレート２２、２３とブラケット１１Ｒの固定ピン２５Ｒの孔が一致する箇所で固定ピン２５Ｒを用いて搭載機器１のブラケット１１Ｒを地上整備器具２に取り付ける。ブラケット１１Ｒのピン孔は図３に示す如くプレートピン２４を中心とする半径（Ｒ１＋Ｒ２）上にあるのでピン穴は容易にあわせることができる。次に機体側取付ロッドＡと、機体側取付ラグＢの箇所の締結部品を取り外し、搭載機器１を地上整備器具２に取り付けた状態で機外に持ち出す。
【産業上の利用可能性】
【００１４】
本考案は航空機内に吊下げ装備される搭載機器とこの搭載機器を吊下げ状態を解いて受け取る地上整備器具のブラケット装置に利用することができる。
【図面の簡単な説明】
【００１５】
【図１】本考案の実施例である航空機内に吊下げ装備される搭載機器とこの搭載機器を吊下げ状態を解いて受け取る地上整備器具のブラケット装置。
【図２】本考案の要部である搭載機器のブラケットと地上整備器具ブラケットの固定部形状および構造図。
【図３】図２を下面から見た図。
【図４】図２におけるブラケット１１Ｒと地上整備器具ブラケット２１Ｒの接合状態図
【図５】航空機内に吊下げ装備される搭載機器とこの搭載機器を吊下げ状態を解いて受け取る地上整備器具のブラケット装置の従来技術例。
【図６】航空機内に吊下げ装備される搭載機器とこの搭載機器を吊下げ状態を解いて受け取る地上整備器具のブラケット装置の従来技術例のブラケット１１Ｒの取付け構造。
【符号の説明】
【００１６】
Ａ      機体側取付ロッド
Ｂ      機体側取付ラグ
１      搭載機器
１１    搭載機器用ブラケット
１１Ｌ  ブラケット
１１Ｒ  ブラケット
２      地上整備器具
２１Ｌ  地上整備器具ブラケット
２１Ｒ  地上整備器具ブラケット
２２    連結用プレート
２３    連結用プレート
２４    プレートピン
２５Ｌ  固定ピン
２５Ｒ  固定ピン
【図１】
0003117984.tif 000003
【図２】
0003117984.tif 000004
【図３】
0003117984.tif 000005
【図４】
0003117984.tif 000006
【図５】
0003117984.tif 000007
【図６】
0003117984.tif 000008